(57)【要約】【課題】移動体が遅い速度で移動する状態でも滑らかな動画表示を実現できると共に、速い速度で移動する場合にも対応できる映像表示装置等を提供する。【解決手段】  映像表示装置１００において、液晶表示装置１１と、制御部１２と、速度検出部１３とから構成されている。液晶表示装置１１は、複数の液晶ディスプレイ装置１１−１，１１−２，１１−３，・・・，１１−ｎが人を乗せて走行する電車４から見ることができる部位に、電車４の経路に沿って無間隔で一列状態に配列されて構成される。映像を表示する際に、制御部１２は、速度検出部１３により検出された電車４の速度に基づいて複数の静止画像を、それぞれ所定タイミングで液晶表示装置１１の所定位置に表示するように制御する。これにより、表示画像と電車４の相対速度が上がるので、電車４が遅い速度で移動する状態でも、自然で滑らかな動画表示を実現できる。【選択図】        図２
2005309256.tif 000002
【特許請求の範囲】
【請求項１】
移動体の経路に沿って所定間隔で静止画像を点滅表示することにより、上記移動体の搭乗者に対して上記静止画像による連続的な映像を提供する映像表示装置において、
上記移動体の搭乗者が上記移動体から見ることができる部位に、複数のディスプレイ装置を上記移動体の経路に沿って無間隔で一列状態に配置して構成された表示手段と、
上記表示手段に、連続動画像を構成する複数の静止画像の映像信号を供給する映像信号供給装置と、
上記移動体の走行速度を検出する速度検出手段と、
上記速度検出手段により検出された上記移動体の走行速度に基づいて、上記複数の静止画像をそれぞれ所定タイミングで上記表示手段の所定位置に表示するように上記映像信号供給装置を制御する表示制御手段と
を備えることを特徴とする映像表示装置。
【請求項２】
上記表示制御手段は、
１フレームの画像を表示するための時間に上記移動体が移動する距離と上記静止画像の横幅とが１：１であるときの上記移動体の走行速度を基準速度とし、
上記移動体の走行速度が上記基準速度より遅い場合には、上記移動体の走行速度に基づいて、上記基準速度における上記移動体が移動する距離よりも短い距離をずらして、上記複数の静止画像を所定のタイミングで表示し、
上記移動体の走行速度が上記基準速度より速い場合には、上記移動体の走行速度に基づいて、上記基準速度における上記移動体が移動する距離よりも長い距離をずらして、上記複数の静止画像を所定のタイミングで表示するように制御する。
ことを特徴とする請求項１記載の映像表示装置。
【請求項３】
上記表示手段は、任意に設定される横幅で上記静止画像を表示することが可能である
ことを特徴とする請求項１記載の映像表示装置。
【請求項４】
上記表示手段は、複数の液晶表示装置、プラズマ表示装置または有機エレクトロルミネセンス表示装置を上記移動体の経路に沿って無間隔で一列状態に配置して構成される
ことを特徴とする請求項１記載の映像表示装置。
【請求項５】
上記表示手段は、複数のプロジェクタを備え、該プロジェクタの映写面は上記移動体の経路に沿って無間隔で一列状態に配置される
ことを特徴とする請求項１記載の映像表示装置。
【請求項６】
上記プロジェクタは、同時に複数の静止画像を表示することが可能である
ことを特徴とする請求項５記載の映像表示装置。
【請求項７】
複数のプログラムに対応する上記静止画像のデータを格納する格納手段をさらに有し、
上記静止画像のデータは、上記映像表示装置本体から、またはネットワークを介して外部配信装置から供給される
ことを特徴とする請求項１記載の映像表示装置。
【請求項８】
上記複数のプログラムから表示しようとするプログラムを選択する選択手段をさらに有し、
上記表示制御手段は、上記表示手段に供給される静止画像の映像信号を、少なくとも上記プログラム単位毎に一定期間もしくは任意に変更するように上記選択手段を制御する
ことを特徴とする請求項７記載の映像表示装置。
【請求項９】
移動体の経路に沿って所定間隔で静止画像を点滅表示することにより、上記移動体の搭乗者に対して上記静止画像による連続的な映像を提供する映像表示装置において、
上記移動体の搭乗者が上記移動体から見ることができる部位に、複数のディスプレイ装置を上記移動体の経路に沿って無間隔で一列状態に配置して構成された表示手段と、
上記表示手段に、連続動画像を構成する複数の静止画像の映像信号を供給する映像信号供給装置と、
予め設定された上記移動体の走行速度の情報に基づいて、上記複数の静止画像をそれぞれ所定タイミングで上記表示手段の所定位置に表示するように上記映像信号供給装置を制御する表示制御手段と
を備えることを特徴とする映像表示装置。
【請求項１０】
人を乗せて走行する移動体の経路に沿って配置された複数個のディスプレイ装置を上記移動体の経路に沿って無間隔で一列状態に配置して構成された表示手段に、連続動画像を構成する複数の静止画像の映像信号を供給し、表示させる映像表示装置における映像表示方法であって、
上記移動体の走行速度情報を取得し、
取得した上記移動体の走行速度に基づいて、上記複数の静止画像を、それぞれ所定距離ずつずらして所定タイミングで表示する
ことを特徴とする映像表示方法。
【発明の詳細な説明】
【技術分野】
【０００１】
本発明は、レール上を走行する電車や、エレベータ等のように人を乗せて走行、移動する移動体に乗っている人が、連続動作映像（動画像）あるいは静止映像として見ることができる映像表示装置および映像表示方法に関する。詳しくは、人を乗せて走行する移動体から見ることができる部位に、複数個のディスプレイ装置を移動体の経路に沿って無間隔で一列状態に配置して構成される表示手段を設け、映像表示の際に、走行する移動体の走行速度情報を取得し、この走行速度に応じて複数の静止画像を、それぞれ所定距離ずつずらして所定タイミングで表示する構成とすることによって、移動体が遅い速度で移動する状態でも、自然で滑らかな動画表示を実現することができると共に、速い速度で移動する場合にも対応できるようにした映像表示装置等に係るものである。
【背景技術】
【０００２】
従来、電車の線路沿いに、電車の窓から見えるように、動画の映像を複数コマに分けた静止画を並べて表示させることによって、電車の窓から動画の映像を見ることができる映像表示装置および映像表示方法が提案されている（例えば、特許文献１参照）。
【０００３】
この場合、図１３に示すように、トンネル内の壁面に所定間隔で端末の画像表示装置を配置し、各画像表示装置で動画を構成する各コマの静止画を点滅表示し、これにより所定速度で移動する車両内の搭乗客に、コマ送りの映像を提供することができるようになされている。
【０００４】
連続した静止画が動画として人間の目に視認されるためには、映画の場合にあっては１秒間に２４コマ、テレビションの場合にあってはＮＴＳＣ標準では１秒間に３０フレーム、ＰＡＬ標準にあっては１秒間に２５フレームが必要とされている。従って通常の動画映像を得るには最低２４コマ／秒を必要とする。
【０００５】
例えば、３０フレーム／秒の静止画を表示するためのＬＥＤ表示装置（または液晶表示装置）の設置間隔は、電車４の走行速度によって異なる。例えば、時速４０ｋｍの場合、設置間隔は３７ｃｍとなり、また、時速６０ｋｍの場合、設置間隔は５３ｃｍとなる。
【０００６】
所定走行速度に対してある設置間隔で設置された表示装置は、電車４の走行速度が変化する場合に、安定して、自然な動画を見せることが困難である。
【０００７】
そのため、移動体が映像表示システムの設置区間を通過する際の全期間にわたり、移動体の速度に応じて安定した画像表示を行うことができる移動体用表示装置および方法が提案されている（例えば、特許文献２参照）。
【０００８】
この場合、映像表示手段の配列の先頭部近傍に設けた第１の速度検出手段から得た速度と画像表示手段の配列の末尾部近傍に設けた第２の速度検出手段から得た速度とに基づいて、画像表示手段による静止画表示タイミングを制御するようになされる。
【０００９】
これにより、移動体が画像表示手段の配列区間を通過する際のほぼ全期間にわたって、移動体の速度に応じた静止画表示タイミング制御が可能となる。このため、移動体が画像表示手段の配列区間を通過する途中で移動体の速度が変化しても、それに対応したタイミングで各表示手段における画像表示を行うことができ、移動体側の乗客から観察される画像を安定化することができる。
【００１０】
【特許文献１】特開２０００−１７２２２０号公報（第３，４頁、第１図）
【特許文献２】特開平１１−２０２８１８号公報（第３，４頁、第１図）
【発明の開示】
【発明が解決しようとする課題】
【００１１】
しかしながら、上述した特許文献１の映像表示装置においては、電車４の線路沿いに並べた静止画を電車４の窓４ａから動画として見せるためには、電車４の速度を一定以上に保つ必要があった。
【００１２】
例えば、１秒あたり３０フレームの静止画を見せるべく、９０個の静止画を並べて３秒間の映像とした際に、電車４の速度は時速５０ｋｍ／ｈ±１０ｋｍ／ｈ程度が許容範囲であった。この速度より遅い速度で走行する場合、静止画を表示する端末が所定距離に離れて配置されているため、フレームのバラツキが発生し、即ち、各フレームの静止画が表示される時間が長くなり、または２つのフレームの間隔が長いため、映像は不連続になり、不自然な動画に見える。
【００１３】
例えば、移動体の速度が２分の１（２５ｋｍ／ｈ）になる場合、６秒間に９０個の静止画を見ることになるので、移動体に乗っている人が、断続的な１枚１枚の静止画を見るようになり、連続的滑らかな動画の映像を見ることができなくなるという問題があった。
【００１４】
従って、静止画の表示時間が長くなると、ボケがあり、スムーズな動画が得られず、動画としては満足すべきものが得られなかった。これは人間の目の残像効果により、あるコマの静止画の点灯時間が長いと次のコマを見てもこれら二つのコマが同時に見えていることとなり、実際の見えかたとしては画像が流れてボケてしまう、あるいは多重像となって見えるためと考えられる。
【００１５】
なお、静止画の表示間隔が長くなると、不連続の映像となり、動画としては満足すべきものが得られなかった。
【００１６】
また、特許文献２の場合は、移動体が表示装置の設置された区間を通過する際に、ある程度の速度変化があった時、安定した画像表示を行うことができるが、移動体が想定した速度より明らかに遅い速度（例えば、上述したように移動体の速度が２分の１（２５ｋｍ／ｈ）になる）で移動する場合には対応できない。また、移動体が想定した速度より明らかに速い速度で移動する場合にも対応できない。
【００１７】
そこで、この発明は、移動体が遅い速度で移動する状態でも滑らかな動画表示を実現することができると共に、速い速度で移動する場合にも対応できるようにした映像表示装置および映像表示方法を提供することを目的とする。
【課題を解決するための手段】
【００１８】
この発明に係る映像表示装置は、移動体の経路に沿って所定間隔で静止画像を点滅表示することにより、移動体の搭乗者に対して静止画像による連続的な映像を提供する映像表示装置において、移動体の搭乗者が移動体から見ることができる部位に、複数のディスプレイ装置を移動体の経路に沿って無間隔で一列状態に配置して構成された表示手段と、該表示手段に、連続動画像を構成する複数の静止画像の映像信号を供給する映像信号供給装置と、移動体の走行速度を検出する速度検出手段と、該速度検出手段により検出された移動体の走行速度に基づいて、複数の静止画像をそれぞれ所定タイミングで表示手段の所定位置に表示するように映像信号供給装置を制御する表示制御手段とを備えるものである。
【００１９】
例えば、表示制御手段は、１フレームの画像を表示するための時間に移動体が移動する距離と静止画像の横幅とが１：１であるときの移動体の走行速度を基準速度とし、移動体の走行速度が基準速度より遅い場合には、移動体の走行速度に基づいて、基準速度における移動体が移動する距離よりも短い距離をずらして、複数の静止画像を所定のタイミングで表示し、移動体の走行速度が基準速度より速い場合には、移動体の走行速度に基づいて、基準速度における移動体が移動する距離よりも長い距離をずらして、複数の静止画像を所定のタイミングで表示するように制御する。
【００２０】
また例えば、表示手段は、任意に設定される横幅で静止画像を表示することが可能である。表示手段は、液晶表示装置、プラズマ表示装置または有機エレクトロルミネセンス表示装置を移動体の経路に沿って無間隔で一列状態に配置して構成される。また、表示手段は、プロジェクタを備え、該プロジェクタの映写面は移動体の経路に沿って無間隔で一列状態に配置される。
【００２１】
また例えば、複数のプログラムに対応する静止画像のデータを格納する格納手段をさらに有し、静止画像のデータは、映像表示装置本体から、またはネットワークを介して外部配信装置から供給される。さらに、複数のプログラムから表示しようとするプログラムを選択する選択手段をさらに有し、表示制御手段は、表示手段に供給される静止画像の映像信号を、少なくともプログラム単位毎に一定期間もしくは任意に変更するように選択手段を制御する。
【００２２】
また、この発明に係る映像表示装置は、移動体の経路に沿って所定間隔で静止画像を点滅表示することにより、移動体の搭乗者に対して静止画像による連続的な映像を提供する映像表示装置において、移動体の搭乗者が移動体から見ることができる部位に、複数のディスプレイ装置を移動体の経路に沿って無間隔で一列状態に配置して構成された表示手段と、該表示手段に、連続動画像を構成する複数の静止画像の映像信号を供給する映像信号供給装置と、予め設定された移動体の走行速度の情報に基づいて、複数の静止画像をそれぞれ所定タイミングで表示手段の所定位置に表示するように映像信号供給装置を制御する表示制御手段とを備えるものである。
【００２３】
この発明に係る映像表示方法は、人を乗せて走行する移動体の経路に沿って配置された複数個のディスプレイ装置を移動体の経路に沿って無間隔で一列状態に配置して構成された表示手段に、連続動画像を構成する複数の静止画像の映像信号を供給し、表示させる映像表示装置における映像表示方法であって、移動体の走行速度情報を取得し、取得した移動体の走行速度に基づいて、複数の静止画像を、それぞれ所定距離ずつずらして所定タイミングで表示することを特徴とするものである。
【００２４】
この発明においては、移動体の搭乗者が移動体から見ることができる部位に、複数個のディスプレイ装置を移動体の経路に沿って無間隔で一列状態に配置して構成された表示手段と、移動体の速度に基づいて複数の静止画像を、それぞれ所定タイミングで表示手段の所定位置に表示するように映像信号供給装置を制御する表示制御手段とを備え、映像を表示する際に、移動体の走行速度の情報を取得し、得られた移動体の走行速度に基づいて、複数の静止画像を、それぞれ所定距離ずつずらして所定タイミングで表示するようになされる。
【００２５】
これにより、本来のスピードであれば、移動しなければ見ることができない２枚目以降の静止画を、遅い速度の状態で見せるため、２枚目、３枚目・・・ｎ枚目の静止画を１枚目側に引き寄せて表示するようになり、移動体の外と中との間での相対的速度が上がるので、移動体が遅い速度で移動する状態でも、自然で滑らかな動画表示を実現することが可能となる。
【００２６】
また、移動体の走行速度に基づいて、各静止画の表示位置を決めることで、遅い速度から速い速度まで広範囲の速度に対応することが可能となる。また、映像表示装置の区間内で移動体の速度が変化する場合でも安定した画像表示を行うことが可能となる。
【００２７】
また、移動体の経路に沿って配置された複数個のディスプレイ装置が連続的に配置されるため、表示する静止画の横幅を自由に調整することができ、表示画像の横幅の制御を受けない、標準画像信号、ワイド画像信号共に対応することが可能となる。
【発明の効果】
【００２８】
この発明によれば、移動体の搭乗者が移動体から見ることができる部位に、複数個のディスプレイ装置を移動体の経路に沿って無間隔で一列状態に配置して構成された表示手段と、移動体の速度に基づいて複数の静止画像を、それぞれ所定タイミングで表示手段の所定位置に表示するように映像信号供給装置を制御する表示制御手段とを備え、映像を表示する際に、移動体の走行速度の情報を取得し、得られた移動体の走行速度に基づいて、複数の静止画像を、それぞれ所定距離ずつずらして所定タイミングで表示するものであり、移動体が低速度で移動する状態でも、自然で滑らかな動画表示を実現することができると共に、速い速度で移動する場合にも対応できる。
【発明を実施するための最良の形態】
【００２９】
以下、図面を参照しながら、この発明の実施の形態の映像表示装置および表示制御方法について説明する。
図１は本発明が適用される実施の態様を示すものである。図１に示すように、レール２が施設された走行路３を、人を乗せて走行することができる移動体であるこの例では電車４より、その窓４ａを通して電車４から見ることのできる部位、この例では走行路３が形成されたトンネル５の壁面５ａに、複数個の液晶ディスプレイ装置からなる液晶表示装置（ＬＣＤ表示装置）１１が間隔無しに配列されて映像表示装置１００が構成される。
【００３０】
図２は、本発明の実施の形態の映像表示装置１００の構成を示す図である。図２に示すように、映像表示装置１００は、表示手段としての液晶表示装置１１と、制御手段としての制御部１２と、速度検出手段としての速度検出部１３とから構成されている。
【００３１】
液晶表示装置１１は、複数の液晶ディスプレイ装置１１−１，１１−２，１１−３，・・・，１１−ｎが電車４の経路に沿って無間隔で一列状態に配置されて構成される。
【００３２】
図３は、液晶ディスプレイ装置の構成例を示す図である。図３に示すように、液晶ディスプレイ装置１１−１，１１−２，１１−３，・・・，１１−ｎは、表示パネル４０と、発光装置４１と、表示端末４２とから構成されている。
【００３３】
表示パネル４０は、ＬＣＤ（Liquid Crystal Display）などの表示パネルである。ＬＣＤは反射型と透過型の二つの方式があるが、いずれの場合にあっても点滅光源として発光装置４１が必要である。表示パネル４０には、例えば２０インチ程度の表示画面を有する透過式ＬＣＤの表示パネルが用いられる。また、発光装置４１は、ストロボや白色ＬＥＤなどを用いた発光装置である。例えば透過型液晶表示装置の場合にあっては、バックライト（間欠照明装置）としてフラッシュライト（ストロボライト）が使用され、反射型液晶表示装置にあっては単に照明装置としてストロボが使用される。
【００３４】
なお、例えば発光装置４１にフラッシュライトを用いた場合、フラッシュライト駆動回路１４は所定のデューティ比で表される点滅制御信号に応答して動作する。例えば、静止画供給時間（表示時間）をｔ１とし、静止画供給停止時間をｔ２とすると、１００ｔ１＜ｔ２なる時間関係になるように間欠的表示を行うとき、フラッシュライトはｔ１の時間だけ点灯し、ｔ２の時間だけ暗くなる点滅制御される。
【００３５】
表示端末４２は、例えば、通信制御回路４３と、タイミング制御回路４４と、発光制御回路４５と、表示制御回路４６と、フレーム選択合成回路４７と、画像記憶部４８とを有する。
【００３６】
通信制御回路４３は、隣接する液晶ディスプレイ１１−１，１１−２，１１−３，・・・，１１−ｎや制御部１２（または画像サーバ）と通信を行い、システム全体の同期をとる回路である。
【００３７】
タイミング制御回路４４は、通信制御回路４３からの指示により端末全体の制御を行う回路である。また、タイミング制御回路４４から発光制御指示信号、表示制御指示信号、および画像処理制御信号が出力され、それぞれ発光制御回路４５、表示制御回路４６、およびフレーム選択合成回路４７に入力される。
【００３８】
発光制御回路４５は、タイミング制御回路４４からの指示に基づいて発光装置４１を駆動する。これにより発光装置４１は所定タイミングで点滅する。また、表示制御回路４６は、タイミング制御回路４４からの指示に基づいて表示パネル４０を駆動する。これにより画像信号が所定タイミングで表示パネル４０に表示される。また、フレーム選択合成回路４７は、タイミング制御回路４４からの指示に基づいて画像記憶部４８から読み出し、そして読み出された画像のシフト、合成、回転など処理を行う。表示する際に、例えば電車４が遅い速度で走行する場合、即ち１つの表示パネルに２つのフレームの画像信号を表示する必要の場合、フレーム選択合成回路４７は、隣接する２つのフレームの画像データを使用して表示パネル４０に表示すべき画像を合成して表示制御回路４６に供給するようになされる。
【００３９】
画像記憶部４８は、メモリまたはハードディスクであり、制御部１２（または画像サーバ）から送られてきた静止画像のデータを一時的に保存するようになされる。また、画像記憶部４８に記憶された静止画像のデータを必要に応じて書き換えることが可能とされる。画像記憶部４８に記憶される静止画像のデータのフレーム数は、電車４の走行速度によって異なる。速度が遅い場合は、１つの液晶ディスプレイで表示するフレーム数が多いため、画像記憶部４８に記憶する必要があるフレーム数も多くなる。
【００４０】
また、液晶表示装置１１は、制御部１２の制御により複数の表示画面に亘って１つの静止画を表示することが可能である。この例では、２つの表示画面に亘って１つの静止画を表示する場合について説明する。
【００４１】
制御部１２は、制御手段として速度検出部１３により検出された列車４の速度に基づいて複数の静止画像を、それぞれ所定タイミングで液晶表示装置１１の所定位置に表示するように制御する。制御部１２は通常パーソナルコンピュータで構成することができる（後述図４参照）。
【００４２】
速度検出部１３は、列車４が位置することを検出する検出センサ１３ａと電車の走行速度を検出する速度検出センサ１３ｂとを備える。検出センサ１３ａは、電車が所定区間、例えば液晶表示装置１１が設置されている区間に進入するとオンになり、またこの区間から退出するとオフになるようになされている。なお、液晶表示装置１１が設置されている区間の後尾にも検出センサ１３ａを設けるようにしてもよい。また、検出センサ１３ａの検出信号、および速度検出センサ１３ｂにより検出された列車４の速度に関する信号は、制御部１２に入力される。
【００４３】
図４は、制御部の構成例を示す図である。図４に示すように、パーソナルコンピュータを使用したときの制御部１２は、中央処理装置ＣＰＵ２１と、静止画像のデータを格納する格納手段として機能するＲＡＭ２２と、制御プログラムが格納されたメモリであるＲＯＭ２３と、バッファメモリ２４と、外部入力装置であるこの例ではマウス２５と、制御情報を入力するキーボード２６とから構成されている。
【００４４】
ＣＰＵ２１は、ＲＯＭ２３に格納された制御プログラムに従って、ＲＡＭ２２をワークエリアとして使用しながら、映像表示装置１００の全体の動作を制御する。また、ＣＰＵ２１は、速度検出センサ１３ｂにより検出された電車４の速度に基づいて、各静止画の表示位置を算出する機能を有する。また、ＣＰＵ２１は、複数のプログラムに対応する静止画像のデータを選択する選択手段としても機能する。
【００４５】
また、ＲＡＭ２２には、それぞれ内容の異なる複数のプログラムに対応する静止画像のデータが格納されている。これらの静止画像のデータは必要に応じて制御部１２からそれぞれの表示端末４２の画像記憶部４８に転送され、記憶される。
【００４６】
ＣＰＵ２１には液晶表示装置１１が設置されている場所に電車４が接近したことを検出する検出センサ１３ａからの検出信号が入力する。この例では電車４の先端部（運転者席）が通過したことを検出する検出センサ１３ａが電車４の先端部に最も近い液晶表示装置１１側に設置されており、この通過を検出した信号がＣＰＵ２１に供給される。
【００４７】
ＣＰＵ２１がこの検出信号を受信すると、ＣＰＵ２１は表示制御信号を液晶表示装置１１に送出するようになされる。検出センサ１３ａが動作している期間が経過すると、つまり電車４が通り過ぎると、ＣＰＵ２１は表示終了信号を液晶表示装置１１に送出し、液晶表示装置１１は静止映像信号に関する連続動作表示を終了する。
【００４８】
また、ＣＰＵ２１には速度検出センサ１３ｂにより検出された電車４の速度に関する信号が入力される。ＣＰＵ２１は速度検出センサ１３ｂにより検出された電車４の速度に基づいて、各静止画の表示位置を算出し、それに関する制御信号を液晶表示装置１１に送出し、静止映像信号を液晶表示装置１１の所定位置に表示するように制御する。
【００４９】
図５は、プログラムリストの例を示す図である。プログラムには、テレビ用広告、映画の予告版、プロモーションビデオ等の宣伝広告用映像の静止画像が含まれる。図５は、ＲＡＭ２２に記憶されている複数のプログラムを模式的に表したものである。複数のプログラムをＲＡＭ２２に記憶する場合には図５のように、例えばプログラムアドレス０１には化粧品の宣伝広告のために使用する映像の静止画像が蓄積される。同様にプログラムアドレス０２には例えば乗用車の宣伝広告のために使用する映像の静止画像が蓄積される。因みに、図５の例では同０３にはハンバーガーの、同０７にはウイスキーの、同０８にはたばこの、同０９には電気製品のそれぞれ宣伝広告用映像の静止画像が記憶されている。
【００５０】
どのように蓄積するかは任意であるが、例えば画像入力装置３３を用いて記憶する場合には次のようになる。まず化粧品に関する映像の静止画像であって所定フレーム分を画像入力装置３３から取り込んで、ＲＡＭ２２にアドレス０１を与えて記憶する。次に乗用車に関する所定フレーム数分の映像の静止画像を画像入力装置３３から取り込んでアドレス０２を指定してＲＡＭ２２に記憶する。以下順番に同様の手順にて残りの映像の静止画像を所定フレーム数分記憶する。
【００５１】
図５に示された複数のプログラムが記憶されたリストをプログラムリストと呼称する。プログラムリストは必要があればモニタであるプログラム表示部３１や表示部３２で確認することができる。
【００５２】
図６は、一つの液晶ディスプレイ装置に１フレームの静止画を表示する場合の表示例を示す図である。例えば、液晶表示装置１１の液晶パネルの横幅は４７ｃｍとした場合、１秒間３０枚の画像を見せるために、一つの液晶ディスプレイ装置に１フレームの静止画が表示されるときの電車速度は５０ｋｍ／ｈである。ここで、説明のため、この速度を基準速度とする。
【００５３】
図６に示すように、電車の速度が基準速度である場合、フレームＦ１の画像は液晶ディスプレイ装置１１−１に表示され、フレームＦ２の画像は液晶ディスプレイ装置１１−２に表示され、フレームＦ３の画像は液晶ディスプレイ装置１１−３に表示され、このように、フレームＦｎの画像は液晶ディスプレイ装置１１−ｎに表示される。この場合、３０フレームの静止画を、３０枚の液晶ディスプレイ装置１１−１，１１−２，・・・，１１−３０で表示することになる。
【００５４】
図７は、電車の速度が２分の１になった場合の静止画表示例を示す図である。図７に示すように、電車の速度は基準速度の２分の１、即ち２５ｋｍ／ｈである場合、フレームＦ１の画像は液晶ディスプレイ装置１１−１に表示され、フレームＦ２の画像は液晶ディスプレイ装置１１−１の半分と液晶ディスプレイ装置１１−２の半分に表示され、即ちフレームＦ２の位置をフレームＦ１より半フレーム分ずらして表示される。同様に、フレームＦ３の画像は、フレームＦ３の位置をフレームＦ２より半フレーム分ずらして表示される。この場合、３０フレームの静止画を、１６枚の液晶ディスプレイ装置１１−１，１１−２，・・・，１１−１６で表示することになる。
【００５５】
図８は、電車の速度が２倍になった場合の静止画表示例を示す図である。図８に示すように、電車４の速度は基準速度の２倍、即ち１００ｋｍ／ｈである場合、フレームＦ１の画像は液晶ディスプレイ装置１１−１に表示され、フレームＦ２の画像は液晶ディスプレイ装置１１−３に表示され、同様に、フレームＦ３の画像は液晶ディスプレイ装置１１−５に表示される。
【００５６】
この場合、図１２に示す従来の表示装置が所定間隔で配置される映像表示装置１と同様に所定間隔で複数の静止画を表示することができる。
【００５７】
図９は、１秒間２４フレームの画像を表示する場合、速度と表示位置との関係を示す図である。図９においては、液晶表示装置１１の上から見て、各フレームの静止画の表示順序および表示位置を示している。図９（ａ）は、電車４の速度は５０ｋｍ／ｈである場合、各フレームの画像の表示位置を示している。ここで、液晶ディスプレイ装置１１−１，１１−２，・・・１１−ｎの表示画面の横幅を約５５ｃｍとする。図９（ｂ）は、電車４の速度は１０ｋｍ／ｈである場合、各フレームの画像の表示位置を示している。
【００５８】
図９（ａ）に示すように、電車４が５０ｋｍ／ｈで走行する場合、液晶ディスプレイ装置１１−１，１１−２，・・・１１−ｎの表示画面に、それぞれフレームＦ１，フレームＦ２，・・・フレームＦｎの画像が表示されている。この場合、速度に基づいて算出した各フレームの画像表示位置は５５ｃｍずつのずれであり、そのため、各フレームの画像は、間隔がなく、且つ重なったこともなく表示されている。この場合、２４フレームの静止画は、２４つの液晶ディスプレイ装置１１−１，１１−２，・・・，１１−２４で表示される。
【００５９】
また、図９（ｂ）に示すように、電車４が１０ｋｍ／ｈで走行する場合、速度に基づいて算出した各フレームの画像表示位置は１１ｃｍずつのずれであり、そのため、各フレームの画像は、重ねて表示されている。ここで、説明便利のため、表示パネル４０は規格のものではなく、例えば、液晶ディスプレイ装置１１−１，１１−２，・・・１１−ｎの表示画面の幅を８８ｃｍとし、フレームの幅も８８ｃｍとする場合、液晶ディスプレイ装置１１−１には、フレームＦ１の画像が表示された後、電車４の進行方向に１１ｃｍずらした位置にフレームＦ２の画像が表示され、このとき、液晶ディスプレイ装置１１−１と１１−２の表示画面には、それぞれフレームＦ２の画像の一部分が表示される。
【００６０】
また、フレームＦ２の画像が表示された後、さらに１１ｃｍずらした位置にフレームＦ３の画像が表示され、このとき、液晶ディスプレイ装置１１−１，１１−２の表示画面には、それぞれフレームＦ３の画像の一部分が表示される。従って、フレームＦ２〜フレームＦ８の画像を表示する際に、液晶ディスプレイ装置１１−１と１１−２が同時に駆動され、画像表示を行う。
【００６１】
液晶ディスプレイ装置１１−１，１１−２の表示画面にフレームＦ８の画像が表示された後、フレームＦ９の画像の表示位置は、液晶ディスプレイ装置１１−１の先端から８８ｃｍの位置にある液晶ディスプレイ装置１１−２の表示画面になる。即ち、フレームＦ９の画像を表示する際に、液晶ディスプレイ装置１１−２のみが駆動され、画像表示を行う。また、フレームＦ１０〜フレームＦ１６の画像を表示する際に、液晶ディスプレイ装置１１−２と１１−３が同時に駆動され、画像表示を行う。フレームＦ１７の画像を表示する際に、液晶ディスプレイ装置１１−３のみが駆動され、画像表示を行う。そして、フレームＦ１８〜フレームＦ２４の画像を表示する際に、液晶ディスプレイ装置１１−３と１１−４が同時に駆動され、画像表示を行う。従って、隣り合った左側の表示枠に８フレーム前の画像が表示される。この場合、２４フレームの静止画像は、４つの液晶ディスプレイ装置１１−１，１１−２，１１−３，１１−４で表示される。
【００６２】
このように、画像をずらしながら表示することで、遅い速度の場合でも同じフレームレートの画像表示が可能である。
【００６３】
なお、電車４の速度が１００ｋｍ／ｈである場合、画像の表示位置のずれは１１０ｃｍとなり、また、フレームの幅が１１０ｃｍより小さい場合、各フレームの画像が離れて表示されるようになる。
【００６４】
表示画像の幅（画像フレームの幅）を任意に設定することが可能とされる。上述したように、画像の表示位置は、画像の幅および移動体（搭乗者）の移動速度と関連する。ここで、表示パネル（以下、特に記載がない限り、１台の液晶ディスプレイ装置が有する液晶表示パネルをいう。）の幅をＷｐとし、表示画像の幅をＷｖとし、移動体（搭乗者）の移動速度をＶｔとし、バックライト発光間隔をＴｆとし、発光インターバルにおける搭乗者（観測者）の移動距離Ｓｔｓとする。
【００６５】
発光インターバル当たりの搭乗者の移動距離は、Ｓｔｓ＝Ｖｔ×Ｔｆとなる。移動距離Ｓｔｓが表示画像の幅Ｗｖより大きい場合（Ｓｔｓ＞Ｗｖ）、画像は、離れるようにそれぞれ所定距離ずつずらして所定タイミングで表示される。また、移動距離Ｓｔｓが表示画像の幅Ｗｖと等しい場合（Ｓｔｓ＝Ｗｖ）、画像は隣接して表示される。また、移動距離Ｓｔｓが表示画像の幅Ｗｖより小さい場合（Ｓｔｓ＞Ｗｖ）、画像は隣接した状態でシフトされながら表示される。
【００６６】
また、表示パネル当たり、表示される画像の分割数Ｎｄは以下の式で計算できる。
Ｎｄ＝Ｗｐ×Ｓｔｓ
【００６７】
分割数を増やせば、遅い速度に対応できるようになるが、速度が遅くなると画像記憶部４８で保持すべきデータ量が増えるため、画像記憶部４８の容量が大きくする必要がある。
【００６８】
図１０は、表示シーケンス例を示す図である。この場合、表示パネルの幅Ｗｐと表示画像の幅Ｗｖとが一致する。また、表示される画像の分割数Ｎｄ＝６×Ｓｔｓとする。
【００６９】
ここで、図１０（ａ）は物理的な表示パネルの並びを示している。図１０（ｂ）は時刻０時の表示内容を示している。この時、表示パネルにそれぞれフレームＦ１，Ｆ７，Ｆ１３，Ｆ１９が表示されている。搭乗者はフレームＦ１を観測する。図１０（ｃ）は時刻Ｔｆ後の表示内容を示している。この時、フレームＦ２，Ｆ８，Ｆ１４，Ｆ２０が表示されている。搭乗者はフレームＦ２を観測する。図１０（ｄ）は時刻Ｔｆ×２後の表示内容を示している。この時、フレームＦ３，Ｆ９，Ｆ１５，Ｆ２１が表示されている。搭乗者はフレームＦ３を観測する。図１０（ｅ）は時刻Ｔｆ×３後の表示内容を示している。この時、フレームＦ４，Ｆ１０，Ｆ１６，Ｆ２２が表示されている。搭乗者はフレームＦ４を観測する。図１０（ｆ）は時刻Ｔｆ×４後の表示内容を示している。この時、フレームＦ５，Ｆ１１，Ｆ１７，Ｆ２３が表示されている。搭乗者はフレームＦ５を観測する。図１０（ｇ）は時刻Ｔｆ×５後の表示内容を示している。この時、フレームＦ６，Ｆ１２，Ｆ１８，Ｆ２４が表示されている。搭乗者はフレームＦ６を観測する。次の表示時刻は、（ｂ）と同様になり、搭乗者はフレームＦ７を観測する。このように、上述した内容が繰り返し表示される。この場合、２４フレームの静止画像は、５つの液晶ディスプレイ装置１１−１，１１−２，１１−３，１１−４，１１−５で表示される。
【００７０】
図１０に示すように、液晶ディスプレイ装置１１−２に表示されるフレームは２〜１２の１１フレームである。フレームＦ７以外のフレームを表示する際には、２つのフレームの画像データより合成画像を生成して表示するようになされる。例えば、時刻Ｔｆ時（図１０（ｃ）参照）はフレームＦ２とフレームＦ８の画像データを用いて合成画像を生成して表示する。従って、液晶ディスプレイ装置１１−２の画像記憶部４８は２〜１２の１１フレームの画像データを一時的に保持する必要である。
【００７１】
また、液晶ディスプレイ装置１１−３に表示されるフレームは８〜１８の１１フレームである。この場合、フレームＦ１３以外のフレームを表示する際には、２つのフレームの画像データより合成画像を生成して表示するようになされる。従って、液晶ディスプレイ装置１１−３の画像記憶部４８は８〜１８の１１フレームの画像データを一時的に保持する必要である。他の液晶ディスプレイ装置については同様である。なお、液晶ディスプレイ装置１１−１の画像記憶部４８は１〜６の６フレームの画像データを一時的に保持すればよい。
【００７２】
以下、図面を参照しながら、映像表示装置１００の動作を説明する。図１１は、映像表示装置１００において映像表示する際の処理動作を示すフローチャートである。
【００７３】
図１１に示すように、映像表示装置１００において映像表示する際に、まず、ステップＳ１で、バッファメモリ２４にプログラムリスト＃Ｎ（Ｎ＝１，２，・・・）をストアする。例えば、プログラムリストの０１の映像内容をストアする。
【００７４】
次に、ステップＳ２で、検出センサ１３ａにより電車を位置することが検出したか否かを判断する。この場合、検出センサ１３ａにより電車４が位置することを検出したと判断された場合には、ステップＳ３で、電車４の速度情報を取得する。ここで、速度検出センサ１３ｂにより電車４の走行速度を検出して、検出された速度を取得する。なお、常に一定速度で走行する場合、予め設定された速度情報を取得する。そして、ステップＳ４で、画像の表示位置を算出する。ここで、ＣＰＵ２１は、検出された電車４の走行速度に基づいて、各画像の表示位置を算出するようになされる。
【００７５】
そして、ステップＳ５で、バッファメモリ２４を動作させ、画像信号を液晶ディスプレイ装置１１−１，１１−２，・・・１１−ｎの表示画面の所定位置に表示するようになされる。また、ステップＳ６で、電車４が通過したか否かを判断する。電車４が通過したと判断された場合には、ステップＳ７で、ＣＰＵ２１はバッファメモリ２４の動作を停止する。なお、ステップＳ６で、ＮＯと判断された場合は、ステップＳ３に戻り、上述した動作を繰り返す。
【００７６】
次に、ステップＳ８で映像表示モードが継続していることが確認されると、ステップＳ９でプログラムリスト０１を「１」だけインクリメントしてステップＳ１に戻り、同様な映像表示動作の待機状態となる。
【００７７】
映像表示モードが終了した場合にはこの映像表示処理プログラムが終了する。このように映像表示モード期間中は電車４が通過するたびにプログラムリストが更新されるから、電車４が通過するたびに自動的に表示する映像のプログラムが書き換えることができる。したがって、送出プログラムのプログラムの仕方によっては乗客に提供する各プログラムの送出回数を同じにすることができる。この例の場合、例えば電車４の走行速度が０〜１００ｋｍ／ｈの範囲である。
【００７８】
このように本実施の形態においては、液晶表示装置１１と、制御部１２と、速度検出部１３とから構成されている。液晶表示装置１１は、複数の液晶ディスプレイ装置１１−１，１１−２，１１−３，・・・，１１−ｎが人を乗せて走行する電車４から見ることができる部位に、電車４の経路に沿って無間隔で一列状態に配列されて構成される。この映像表示装置１００において、予め順次映出して連続動作となる複数の静止画を作成し、これらの複数の静止画を記憶しておき、映像表示する際に、制御部１２は、速度検出部１３により検出された電車４の速度に基づいて複数の静止画像を、それぞれ所定タイミングで液晶表示装置１１の所定位置に表示するように制御する。
【００７９】
これにより、表示画像と電車の相対速度を上げることで、電車４が低い速度で移動する状態でも、自然で滑らかな動画表示を実現することができる。即ち、遅い速度の場合でも映像撮影時と同じ状態を再現でき、商業的に利用することができる。
【００８０】
また、電車４の走行速度に基づいて、各静止画の表示位置を決めることで、遅い速度から速い速度までの広い範囲に対応することができる。また、映像表示装置１００の区間内で電車４の速度が変化する場合でも安定した画像表示を行うことができる。
【００８１】
また、電車４の経路に沿って配置された複数個のディスプレイ装置が連続的に配置されるため、表示する静止画の横幅を自由に調整することができ、表示画像の横幅の制御を受けない、標準画像信号、ワイド画像信号共に対応することができる。
【００８２】
なお、上述実施の形態においては、画像データが映像表示装置１００の制御部１２から供給される例について説明したが、これに限定されるものではない。例えば、画像データをネットワークを介して外部配信装置から供給するようにしてもよい。
【００８３】
図１２は、ネットワークを介した画像配信システムの構成例を示す図である。図１２に示すように、画像データは、まず配信センター（外部配信装置）５０からネットワーク６０を介してクラスタマスタ７０ａ，７０ｂ，・・・７０ｎに供給され、そして、クラスタマスタ７０ａ，７０ｂ，・・・７０ｎから映像表示装置１００ａ，１００ｂ，・・・１００ｎに供給される。ここで、映像表示装置１００ａは２つのユニット（映像表示装置）からなり、クラスタマスタ７０ａからの画像データはそれぞれのユニットに供給される。これにより、各場所に配置された映像表示装置１００ａ，１００ｂ，・・・１００ｎの表示内容を配信センター５０でコントロールすることができる。
【００８４】
また、上述実施の形態においては、移動体が電車４である場合について説明したが、これに限定されるものではない。移動体が、エレベータ、エスカレータ、動く歩道、遊園地の乗り物等である場合にもこの発明を適用できる。また、エスカレータ、動く歩道の場合、速度一定であるため、速度検出の必要がなく、即ち速度検出センサを設けなくてもよい。映像表示する際に、予め設定された速度で表示を制御することができる。映像表示する際の処理動作は、上述した図１１に示すフローチャートと同様である。この場合、初回のみ表示位置の算出を行う。
【００８５】
また、上述実施の形態においては、ディスプレイ装置として液晶ディスプレイ装置１１−１，１１−２，１１−３，・・・，１１−ｎを用いた場合について説明したが、これに限定されるものではない。他のディスプレイ装置、例えば、ＬＥＤ表示装置、プラズマ表示装置、有機ＥＬ（electroluminescence）表示装置等を用いてもよい。これらの自己発光の表示装置を用いる場合は、発光装置を設ける必要がない。なお、ディスプレイ装置としてプロジェクタを用いてもよい。この場合、プロジェクタの映写面が移動体の移動方向に平行して連続的に配置して表示手段を構成する。また、１つのプロジェクタで複数の静止画（例えば、２つまたは３つの静止画）をそれぞれ所定タイミングで、所定位置に表示するようにしてもよい。これにより、少ない表示装置で映像表示システムを構成することができ、コストダウンを図ることができる。
【００８６】
また、上述実施の形態においては、制御部にはＣＰＵ２１を用いたが、これに限定されるものではない。例えば制御回路を構成するハードウエアを用いてもよい。この場合、高速な処理を実現することが可能である。
【００８７】
また、上述実施の形態においては、液晶表示装置１１の片側に速度検出部１３を設けたものについて説明したが、これに限定されるものではない。液晶表示装置１１の両側に速度検出部１３を設けるようにしてもよい。この場合、設置された液晶表示装置１１の両方から電車（移動体）４が来る場合ともに対応できる。
【産業上の利用可能性】
【００８８】
以上のように、この発明に係る映像表示装置および映像表示方法は、人を乗せて走行する移動体から見ると、連続動画像を構成する複数の静止画像の映像信号を連続動作の映像として見ることのできるため、地下鉄、遊園地等場所で広告媒体として利用できる。
【図面の簡単な説明】
【００８９】
【図１】本発明をトンネル内で使用する場合の実施の形態の概略を示す説明図である。
【図２】実施の形態の映像表示装置の構成例を示す図である。
【図３】液晶ディスプレイ装置の構成例を示す図である。
【図４】制御部の構成例を示す図である。
【図５】プログラムリストの例を示す図である。
【図６】一つの液晶ディスプレイ装置に１フレームの静止画を表示するの表示例を示す図である。
【図７】電車の速度が２分の１になった場合の静止画表示例を示す図である。
【図８】電車の速度が２倍になった場合の静止画表示例を示す図である。
【図９】１秒間２４フレームの画像を表示する場合、速度と表示位置との関係を示す図である。
【図１０】表示シーメンス例を示す図である。
【図１１】映像表示装置１００の動作例を示す図である。
【図１２】ネットワークを介した画像配信システムの構成例を示す図である。
【図１３】従来のトンネル内で使用される映像表示装置の例を示す説明図である。
【符号の説明】
【００９０】
１・・・映像表示装置、２・・・レール、３・・・走行路、４，４ａ・・・電車（移動体）および窓、５，５ａ・・・トンネル及び壁面、１１・・・液晶表示装置、１１−１，１１−２，１１−３，・・・１１−ｎ・・・液晶ディスプレイ装置、１２・・・制御部、１３・・・速度検出部、２１・・・ＣＰＵ、２２・・・ＲＡＭ、２３・・・ＲＯＭ、２４・・・バッファメモリ、２５・・・マウス、２６・・・キーボード、３１・・・プログラム表示部、３２・・・表示部、３３・・・画像入力装置、４０・・・表示パネル、４１・・・発光装置、４２・・・表示端末、４３・・・通信制御回路、４４・・・タイミング制御回路、４５・・・発光制御回路、４６・・・表示制御回路、４７・・・フレーム選択合成回路、４８・・・画像記憶部、５０・・・配信センター（外部配信装置）、６０・・・ネットワーク、７０ａ，７０ｂ，７０ｎ・・・クラスタマスタ、１００，１００ａ，１００ｂ，１００ｎ・・・映像表示装置
【図１】
2005309256.tif 000003
【図２】
2005309256.tif 000004
【図３】
2005309256.tif 000005
【図４】
2005309256.tif 000006
【図５】
2005309256.tif 000007
【図６】
2005309256.tif 000008
【図７】
2005309256.tif 000009
【図８】
2005309256.tif 000010
【図９】
2005309256.tif 000011
【図１０】
2005309256.tif 000012
【図１１】
2005309256.tif 000013
【図１２】
2005309256.tif 000014
【図１３】
2005309256.tif 000015